(57)【要約】【課題】指への負担を軽減することができるとともに、意図しない破断を抑制して容易に開封することができる包装箱及び包装体を提供する。【解決手段】天面部１１、底面部１２、背面部１３、前面部１４、第一側面部１５及び第二側面部１６を備える包装箱１である。背面部１３は、第一上フラップ部１３ｃと、第一下フラップ部１３ｄと、第一上フラップ部１３ｃと第一下フラップ部１３ｄとの間の第一上フラップ部１３ｃの近傍に位置して天面部１１側に折り込まれる押込部３１と、押込部３１に接続される一対の第一破断線３２，３３とを有する。第一側面部１５及び第二側面部１６は、一対の第一破断線３２，３３に接続される一対の第二破断線４１，４２を有する。前面部１４は、一対の第二破断線４１，４２に接続される第三破断線４５を有する。【選択図】図３
2019011071.tif 000002
【特許請求の範囲】
【請求項１】
互いに対向する天面部及び底面部と、互いに対向する背面部及び前面部と、互いに対向する第一側面部及び第二側面部とを備える包装箱であって、
前記背面部は、前記天面部から前記底面部に向けて延びる第一上フラップ部と、前記底面部から前記天面部に向けて延びるとともに前記第一上フラップ部から離間される第一下フラップ部とを有し、
前記背面部は、前記第一上フラップ部と前記第一下フラップ部との間に位置して前記天面部側に折り込まれる押込部と、前記押込部に接続されて前記押込部から前記第一側面部側の端辺及び前記第二側面部側の端辺まで延びる一対の第一破断線とを有し、
前記第一側面部及び前記第二側面部は、前記一対の第一破断線に接続されて前記背面部側の端辺から前記前面部側の端辺まで延びる一対の第二破断線を有し、
前記前面部は、前記一対の第二破断線に接続されて前記第一側面部側の端辺から前記第二側面部側の端辺まで延びる第三破断線を有し、
前記押込部は、前記天面部側に折り込まれた際に前記押込部の少なくとも一部が前記第一上フラップ部と重ねられる位置に位置する、
包装箱。
【請求項２】
前記背面部は、前記第一側面部から前記第二側面部に向けて延びる第一背面部と、前記第二側面部から前記第一側面部に向けて延びる第二背面部と、を更に有し、
前記押込部は、前記第一背面部及び前記第二背面部により形成される、
請求項１に記載の包装箱。
【請求項３】
前記押込部は、両端が前記一対の第一破断線に接続される押込破断線を有する、
請求項１又は２に記載の包装箱。
【請求項４】
前記押込部は、前記第一上フラップ部の前記第一下フラップ部側の端辺に沿って延びる第一誘導罫線を有する、
請求項３に記載の包装箱。
【請求項５】
前記押込部は、前記第一誘導罫線の前記第一下フラップ部側に位置して、前記第一誘導罫線と平行に延びる第二誘導罫線を有する、
請求項４に記載の包装箱。
【請求項６】
前記一対の第一破断線は、前記押込部から前記第一側面部及び前記第二側面部に向かうに従い前記第一上フラップ部から離れる方向に傾斜している、
請求項１〜５の何れか一項に記載の包装箱。
【請求項７】
前記第一上フラップ部は、前記押込部よりも前記第一側面部側及び前記第二側面部側の位置から前記天面部側に傾斜しながら前記第一側面部及び前記第二側面部に向けて延びる一対の第三誘導罫線を有する、
請求項１〜６の何れか一項に記載の包装箱。
【請求項８】
前記背面部は、前記第一側面部から前記第二側面部に向けて延びる第一背面部と、前記第二側面部から前記第一側面部に向けて延びる第二背面部とを有し、
前記第一背面部及び前記第二背面部は、前記押込部よりも前記第一側面部側及び前記第二側面部側の位置から前記天面部側に傾斜しながら前記第一側面部及び前記第二側面部に向けて延びる一対の第四誘導罫線を有する、
請求項１〜７の何れか一項に記載の包装箱。
【請求項９】
前記第二破断線は、前記背面部から前記前面部に向けて延びる背面部側第二破断線部と、前記背面部側第二破断線部から前記前面部に向けて延びる前面部側第二破断線部と、を有し、
前記背面部側第二破断線部の単位距離当たりの破断強度は、前記前面部側第二破断線部の単位距離当たりの破断強度よりも小さい、
請求項１〜８の何れか一項に記載の包装箱。
【請求項１０】
前記一対の第二破断線は、前記背面部側から前記前面部側に向けて前記底面部側に傾斜しながら直線状に延びている、
請求項１〜９の何れか一項に記載の包装箱。
【請求項１１】
前記第一側面部及び前記第二側面部は、前記一対の第二破断線の前記天面部側に、前記天面部及び前記背面部に向けて延びる一対の第五誘導罫線を有する、
請求項１〜１０の何れか一項に記載の包装箱。
【請求項１２】
前記第三破断線は、底面部側に凸となる曲線状に形成されている、
請求項１〜１０の何れか一項に記載の包装箱。
【請求項１３】
請求項１〜１１の何れか一項に記載の包装箱と、
前記包装箱に包装された複数本のボトル型飲料容器と、を備える、
包装体。
【請求項１４】
前記押込部は、前記ボトル型飲料容器により前記包装箱の内側への折り込みが阻害されない位置に位置する、
請求項１３に記載の包装体。
【発明の詳細な説明】
【技術分野】
【０００１】
本発明は、複数本の飲料容器等を包装する包装箱及び包装体に関する。
【背景技術】
【０００２】
特許文献１には、複数本の飲料容器を包装する包装箱が記載されている。この包装箱は、ラップラウンド型の包装箱であり、周囲に開封するための１本のカット線が形成されている。そして、フラップ部が配置されない側板において、カット線を逆台形状に形成して、開封時に押し込む板部を形成している。これにより、指で板部を押し込み、カット線に沿って包装箱を上下に分断することで、開封することが可能となっている。
【先行技術文献】
【特許文献】
【０００３】
【特許文献１】実用新案登録第３１５６８３５号
【発明の概要】
【発明が解決しようとする課題】
【０００４】
特許文献１に記載された包装箱では、板部を折り込んだ部分を指に引っ掛けて開封するが、当該部分は包装箱を構成する紙板と板部との２重構造であるため、指への負担が大きく、しかも、指を引っ掛けた部分が破れて開封し難くなるという問題がある。
【０００５】
そこで、本発明は、指への負担を軽減することができるとともに、意図しない破断を抑制して容易に開封することができる包装箱及び包装体を提供することを目的とする。
【課題を解決するための手段】
【０００６】
本発明に係る包装箱は、互いに対向する天面部及び底面部と、互いに対向する背面部及び前面部と、互いに対向する第一側面部及び第二側面部とを備える包装箱であって、背面部は、天面部から底面部に向けて延びる第一上フラップ部と、底面部から天面部に向けて延びるとともに第一上フラップ部から離間される第一下フラップ部とを有し、背面部は、第一上フラップ部と第一下フラップ部との間に位置して天面部側に折り込まれる押込部と、押込部から第一側面部側の端辺及び第二側面部側の端辺まで延びる一対の第一破断線とを有し、第一側面部及び第二側面部は、一対の第一破断線に接続されて背面部側の端辺から前面部側の端辺まで延びる一対の第二破断線を有し、前面部は、一対の第二破断線に接続されて第一側面部側の端辺から第二側面部側の端辺まで延びる第三破断線を有し、押込部は、天面部側に折り込まれた際に押込部の少なくとも一部が第一上フラップ部と重ねられる位置に位置する。
【０００７】
この包装箱では、天面部側に折り込まれる押込部は、背面部の第一上フラップ部と第一下フラップ部との間、つまり、第一上フラップ部及び第一下フラップ部と重ならない領域に位置するため、第一上フラップ部及び第一下フラップ部と重なる領域に位置する場合に比べて、押込部を容易に押し込むことができる。また、背面部の押込部及び一対の第一破断線、第一側面部及び第二側面部の一対の第二破断線、及び前面部の第三破断線は、互いに接続されているため、押込部を押し込んだ指を引き上げることで、これらの破断線が順次破断して、包装箱を底面部側の部分である底箱部と天面部側の部分である天箱部とに分離することができる。これにより、包装箱を開封することができる。そして、押込部は、天面部側に折り込まれた際に、押込部の少なくとも一部が第一上フラップ部と重ねられる。これにより、押込部を折り込んだ部分の厚さを厚くすることができるため、押込部を押し込んだ指を引き上げて包装箱を底箱部と天箱部とに分離する際に、指への負担を軽減することができる。また、指を引っ掛けた部分が破れてしまう等の意図しない破断を抑制して容易に開封することができる。
【０００８】
背面部は、第一側面部から第二側面部に向けて延びる第一背面部と、第二側面部から第一側面部に向けて延びる第二背面部と、を更に有し、押込部は、第一背面部及び第二背面部により形成されていてもよい。この包装箱では、背面部が第一背面部及び第二背面部を有するとともに、押込部が第一背面部及び第二背面部により形成されるため、ラップアラウンド型の包装箱において、容易に押込部を形成することができる。
【０００９】
押込部は、両端が一対の第一破断線に接続される押込破断線を有してもよい。この包装箱では、押込部が押込破断線を有するため、押込破断線を破断することにより押込部を容易に押し込むことができる。そして、押込破断線が一対の第一破断線に接続されているため、指で押込部を押し込んだ後、そのまま指を引き上げることで、一対の第一破断線を破断させることができる。
【００１０】
押込部は、第一上フラップ部の第一下フラップ部側の端辺に沿って延びる第一誘導罫線を有してもよい。この包装箱では、押込部が、第一上フラップ部の第一下フラップ部側の端辺に沿って延びる第一誘導罫線を有するため、押込部を押し込むと、押込部は第一誘導罫線を起点として折り曲げられる。これにより、押込部を容易に天面部側に折り込むことができる。
【００１１】
押込部は、第一誘導罫線の第一下フラップ部側に位置して、第一誘導罫線と平行に延びる第二誘導罫線を有してもよい。この包装箱では、押込部が、第一誘導罫線の第一下フラップ部側に位置して第一誘導罫線と平行に延びる第二誘導罫線を有するため、押込部は、押し込まれた際に包装箱に包装されている被包装物と干渉すると、第二誘導罫線で折り曲げられる。これにより、押込部が被包装物に引っ掛かって天面部側に折り込めなくなるのを抑制することができる。
【００１２】
一対の第一破断線は、押込部から第一側面部及び第二側面部に向かうに従い第一上フラップ部から離れる方向に傾斜していてもよい。第一上フラップ部と一対の第一破断線とが近接するとともに第一上フラップ部の端辺と一対の第一破断線とが平行に配置されていると、包装箱に大きな荷重が作用した際に、第一上フラップ部の端辺が一対の破断線を折り曲げようとするため、包装箱の耐荷重性が低下する可能性がある。しかしながら、この包装箱では、一対の第一破断線が、押込部から第一側面部及び第二側面部に向かうに従い第一上フラップ部から離れる方向に傾斜しているため、一対の第一破断線が折れ曲がり難くなる。これにより、包装箱の耐荷重性が低下するのを抑制することができる。
【００１３】
第一上フラップ部は、押込部よりも第一側面部側及び第二側面部側の位置から天面部側に傾斜しながら第一側面部及び第二側面部に向けて延びる一対の第三誘導罫線を有してもよい。この包装箱では、第一上フラップ部が、押込部よりも第一側面部側及び第二側面部側の位置から天面部側に傾斜しながら第一側面部及び第二側面部に向けて延びる一対の第三誘導罫線を有するため、押込部を押し込んだ指を引き上げると、第一上フラップ部は一対の第三誘導罫線で折り曲げられる。これにより、一対の第一破断線により分離される底箱部と天箱部との開き幅が大きくなって、一対の第一破断線が破断しやすくなるため、包装箱の開封性を向上することができる。
【００１４】
背面部は、第一側面部から第二側面部に向けて延びる第一背面部と、第二側面部から第一側面部に向けて延びる第二背面部とを有し、第一背面部及び第二背面部は、押込部よりも第一側面部側及び第二側面部側の位置から天面部側に傾斜しながら第一側面部及び第二側面部に向けて延びる一対の第四誘導罫線を有してもよい。この包装箱では、第一背面部及び第二背面部が、押込部よりも第一側面部側及び第二側面部側の位置から天面部側に傾斜しながら第一側面部及び第二側面部に向けて延びる一対の第四誘導罫線を有するため、押込部を押し込んだ指を引き上げると、第一背面部及び第二背面部は一対の第四誘導罫線で折り曲げられる。これにより、一対の第一破断線により分離される底箱部と天箱部との開き幅が大きくなって、一対の第一破断線が破断しやすくなるため、包装箱の開封性を向上することができる。
【００１５】
第二破断線は、背面部から前面部に向けて延びる背面部側第二破断線部と、背面部側第二破断線部から前面部側に向けて延びる前面部側第二破断線部と、を有し、背面部側第二破断線部の単位距離当たりの破断強度は、前面部側第二破断線部の単位距離当たりの破断強度よりも小さくてもよい。この包装箱では、押込部を押し込んだ指を引き上げると、第二破断線では、先ず背面部側第二破断線部が破断され、その後に前面部側第二破断線部が破断される。そして、背面部側第二破断線部の単位距離当たりの破断強度が前面部側第二破断線部の単位距離当たりの破断強度よりも小さいため、前面部側第二破断線部により包装箱の耐荷重性を保持しつつ、背面部側第二破断線部により第二破断線を破断しやすくすることができる。
【００１６】
一対の第二破断線は、背面部側から前面部側に向けて底面部側に傾斜しながら直線状に延びていてもよい。この包装箱では、一対の第二破断線が、背面部側から前面部側に向けて底面部側に傾斜しながら直線状に延びているため、包装箱の製造容易性を確保しつつ、包装箱を開封して天箱部を除去した際に、底箱部の前面部側の高さを低くすることができる。これにより、商品陳列棚等に載置した際に、被包装物を見やすくすることができる。しかも、一対の第二破断線を破断することにより形成された第一側面部及び第二側面部の端辺は、直線状に形成されるため、開封後の底箱部のデザイン性を向上することができる。
【００１７】
第一側面部及び第二側面部は、一対の第二破断線の天面部側に、天面部及び背面部側に向けて延びる一対の第五誘導罫線を有してもよい。この包装箱では、第一側面部及び第二側面部が、一対の第二破断線の天面部側に、天面部及び背面部側に向けて延びる一対の第五誘導罫線を有するため、押込部を押し込んだ指を引き上げると、第一側面部及び第二側面部は一対の第五誘導罫線で折り曲げられる。これにより、一対の第二破断線により分離される底箱部と天箱部との開き幅が大きくなって、一対の第二破断線が破断しやすくなるため、包装箱の開封性を向上することができる。
【００１８】
第三破断線は、底面部側に凸となる曲線状に形成されていてもよい。この包装箱では、第三破断線が底面部側に凸となる曲線状に形成されているため、包装箱の製造容易性を確保しつつ、包装箱を開封して天箱部を除去した際に、底箱部の前面部の高さを低くすることができる。これにより、商品陳列棚等に載置した際に、被包装物を見やすくすることができる。しかも、第三破断線を破断することにより形成された前面部の端辺は、曲線状に形成されるため、開封後の底箱部のデザイン性を向上することができる。
【００１９】
本発明に係る包装体は、上記の何れかの包装箱と、包装箱に包装された複数本のボトル型飲料容器と、を備える。この包装体では、上記の包装箱に複数本のボトル型飲料容器が包装されているため、包装箱を開封する際に指への負担を軽減することができる。
【００２０】
押込部は、ボトル型飲料容器により包装箱の内側への折り込みが阻害されない位置に位置してもよい。この包装体では、押込部が、ボトル型飲料容器により包装箱の内側への折り込みが阻害されない位置に位置するため、押込部を押し込んだ際に、押込部がボトル型飲料容器により包装箱の内側に折り込み難くなるのを抑制することができる。
【発明の効果】
【００２１】
本発明によれば、指への負担を軽減することができるとともに、意図しない破断を抑制して容易に開封することができる。
【図面の簡単な説明】
【００２２】
【図１】実施形態に係る包装箱を後方かつ上方から見た斜視図である。
【図２】実施形態に係る包装箱を前方かつ下方から見た斜視図である。
【図３】実施形態に係る包装箱の背面図である。
【図４】実施形態に係る包装箱の右側面図である。
【図５】実施形態に係る包装箱の左側面図である。
【図６】実施形態に係る包装箱の前面図である。
【図７】図３に示すＶＩＩ−ＶＩＩ線における断面図である。
【図８】図４に示すＶＩＩＩ−ＶＩＩＩ線における断面図である。
【図９】実施形態に係る包装箱の展開図である。
【図１０】包装箱の開封動作を説明するための図である。
【図１１】包装箱の開封動作を説明するための図である。
【図１２】包装箱の開封動作を説明するための図である。
【発明を実施するための形態】
【００２３】
以下、図面を参照して、本発明に係る包装箱及び包装体の好適な実施形態について詳細に説明する。なお、図面中の同一又は相当部分には同一符号を付すこととする。また、本明細書において上下、前後、左右等の方向は、包装箱にボトル型飲料容器等を包装した状態における方向をいう。
【００２４】
［包装箱の基本構造］
図１〜図８に示すように、本実施形態に係る包装箱１は、被包装物として複数本のボトル型飲料容器１００を包装する包装箱である。包装箱１に複数本のボトル型飲料容器１００が包装されたものを、包装体という。ボトル型飲料容器１００は、上部に開口を有するボトル本体１０１と、ボトル本体１０１の開口を塞ぐ蓋１０２と、蓋１０２の直下に位置するボトル本体１０１の上部に形成されたフランジ部１０３と、を備える。なお、包装箱１が包装する被包装物は、ボトル型飲料容器１００に限定されるものではなく、如何なるものであってもよい。また、包装箱１が包装する被包装物の数は、如何なる数であってもよい。本実施形態では、１２本のボトル型飲料容器１００が包装箱１に包装されているものとして説明する。なお、図７では、包装箱１にボトル型飲料容器１００が包装されている状態を示しており、図８では、包装箱１にボトル型飲料容器１００が包装されていない状態を示している。
【００２５】
包装箱１は、直方体の箱状に形成されている。包装箱１は、互いに対向する天面部１１及び底面部１２と、互いに対向する背面部１３及び前面部１４と、互いに対向する第一側面部１５及び第二側面部１６とを有する。そして、天面部１１及び底面部１２は、背面部１３及び前面部１４と隣り合うとともに、第一側面部１５及び第二側面部１６と隣り合う。背面部１３及び前面部１４は、天面部１１及び底面部１２と隣り合うとともに、第一側面部１５及び第二側面部１６と隣り合う。第一側面部１５及び第二側面部１６は、天面部１１及び底面部１２と隣り合うとともに、背面部１３及び前面部１４と隣り合う。
【００２６】
背面部１３は、第一側面部１５から第二側面部１６に向けて延びる第一背面部１３ａと、第二側面部１６から第一側面部１５に向けて延びる第二背面部１３ｂと、天面部１１から底面部１２に向けて延びる第一上フラップ部１３ｃと、底面部１２から天面部１１に向けて延びる第一下フラップ部１３ｄと、を備える。第一上フラップ部１３ｃの先端辺（天面部１１とは反対側の端辺）は、背面部１３の天面部１１側の端辺と平行であり、第一下フラップ部１３ｄの先端辺（底面部１２とは反対側の端辺）は、背面部１３の底面部１２側の端辺と平行である。また、第一上フラップ部１３ｃの先端辺と第一下フラップ部１３ｄの先端辺とは、互いに平行である。
【００２７】
第一背面部１３ａと第二背面部１３ｂとは、左右方向（第一側面部１５と第二側面部１６と対向方向）において同じ長さに形成されており、互いに当接又は近接されている。第一上フラップ部１３ｃと第一下フラップ部１３ｄとは、左右方向において同じ長さに形成されており、互いに離間されている。このため、背面部１３には、第一上フラップ部１３ｃと第一下フラップ部１３ｄとの間に、第一上フラップ部１３ｃ及び第一下フラップ部１３ｄが配置されない領域が形成されている。そして、背面部１３は、第一上フラップ部１３ｃ又は第一下フラップ部１３ｄが配置される場所では、第一背面部１３ａ又は第二背面部１３ｂと第一上フラップ部１３ｃ又は第一下フラップ部１３ｄとの２重構造となっており、第一上フラップ部１３ｃ又は第一下フラップ部１３ｄが配置されない場所では、第一背面部１３ａ又は第二背面部１３ｂの１重構造となっている。
【００２８】
前面部１４は、第一側面部１５から第二側面部１６に向けて延びる第一前面部１４ａと、第二側面部１６から第一側面部１５に向けて延びる第二前面部１４ｂと、天面部１１から底面部１２に向けて延びる第二上フラップ部１４ｃと、底面部１２から天面部１１に向けて延びる第二下フラップ部１４ｄと、を備える。第二上フラップ部１４ｃの先端辺（底面部１２側の端辺）は、前面部１４の天面部１１側の端辺と平行であり、第二下フラップ部１４ｄの先端辺（天面部１１側の端辺）は、前面部１４の底面部１２側の端辺と平行である。また、第二上フラップ部１４ｃの先端辺と第二下フラップ部１４ｄの先端辺とは互いに平行である。
【００２９】
第一前面部１４ａと第二前面部１４ｂとは、左右方向において同じ長さに形成されており、互いに当接又は近接されている。第二上フラップ部１４ｃと第二下フラップ部１４ｄとは、左右方向において同じ長さに形成されており、互いに離間されている。このため、前面部１４には、第二上フラップ部１４ｃと第二下フラップ部１４ｄとの間に、第二上フラップ部１４ｃ及び第二下フラップ部１４ｄが配置されない領域が形成されている。そして、前面部１４は、第二上フラップ部１４ｃ又は第二下フラップ部１４ｄが配置される場所では、第一前面部１４ａ又は第二背面部１３ｂと第二上フラップ部１４ｃ又は第二下フラップ部１４ｄとの２重構造となっており、第二上フラップ部１４ｃ又は第二下フラップ部１４ｄが配置されない場所では、第一前面部１４ａ又は第二前面部１４ｂの１重構造となっている。
【００３０】
［包装箱用ブランク］
図９に示すように、包装箱１は、包装箱用ブランク２０を直方体に組み立てた（製箱した）ラップラウンド型の包装箱である。包装箱用ブランク２０は、厚紙、段ボール紙等の紙板（ペーパーシート）である。なお、包装箱用ブランク２０の表裏面の内、包装箱１の内側となる面を内面といい、包装箱１の外側となる面を外面という。包装箱用ブランク２０は、天面シート部２１と、底面シート部２２と、第一背面シート部２３ａと、第二背面シート部２３ｂと、第一上フラップシート部２３ｃと、第一下フラップシート部２３ｄと、第一前面シート部２４ａと、第二前面シート部２４ｂと、第二上フラップシート部２４ｃと、第二下フラップシート部２４ｄと、第一側面シート部２５と、第二側面シート部２６と、接着代２７と、を備える。
【００３１】
天面シート部２１は天面部１１となる部位である。底面シート部２２は底面部１２となる部位である。第一背面シート部２３ａ、第二背面シート部２３ｂ、第一上フラップシート部２３ｃ及び第一下フラップシート部２３ｄは背面部１３となる部位であり、そのうち、第一上フラップシート部２３ｃは第一上フラップ部１３ｃとなる部位であり、第一下フラップシート部２３ｄは第一下フラップ部１３ｄとなる部位である。第一前面シート部２４ａ、第二前面シート部２４ｂ、第二上フラップシート部２４ｃ及び第二下フラップシート部２４ｄは前面部１４となる部位であり、そのうち、第二上フラップシート部２４ｃは第二上フラップ部１４ｃとなる部位であり、第二下フラップシート部２４ｄは第二下フラップ部１４ｄとなる部位である。
【００３２】
包装箱用ブランク２０では、天面シート部２１、第一側面シート部２５、底面シート部２２、第二側面シート部２６及び接着代２７が、この順に連接されている。天面シート部２１の対向する両端辺に、第一上フラップシート部２３ｃと第二上フラップシート部２４ｃとが接続されている。第一側面シート部２５の対向する両端辺に、第一背面シート部２３ａと第一前面シート部２４ａとが接続されている。底面シート部２２の対向する両端辺に、第一下フラップシート部２３ｄと第二下フラップシート部２４ｄとが接続されている。第二側面シート部２６の対向する両端辺に、第二背面シート部２３ｂと第二前面シート部２４ｂとが接続されている。
【００３３】
そして、接着代２７が天面シート部２１の内側に配置されて、接着代２７と天面シート部２１とが接着される。また、第一背面シート部２３ａ及び第二背面シート部２３ｂが第一上フラップシート部２３ｃ及び第一下フラップシート部２３ｄの内側に配置されて、第一背面シート部２３ａ及び第二背面シート部２３ｂと第一上フラップシート部２３ｃ及び第一下フラップシート部２３ｄとが接着される。また、第一前面シート部２４ａ及び第二前面シート部２４ｂが第二上フラップシート部２４ｃ及び第二下フラップシート部２４ｄの内側に配置されて、第一前面シート部２４ａ及び第二前面シート部２４ｂと第二上フラップシート部２４ｃ及び第二下フラップシート部２４ｄとが接着される。これにより、包装箱１に製箱される。
【００３４】
［背面部］
図１及び図３に示すように、背面部１３は、天面部１１側に折り込まれる押込部３１と、押込部３１に接続されて押込部３１から第一側面部１５側の端辺及び第二側面部１６側の端辺まで延びる一対の第一破断線３２，３３と、を有する。
【００３５】
押込部３１は、包装箱１を開封する際に天面部１１側に折り込まれる部位である。押込部３１は、第一上フラップ部１３ｃと第一下フラップ部１３ｄとの間、つまり、第一背面部１３ａ又は第二背面部１３ｂの１重構造となっている領域に位置する。そして、押込部３１は、天面部１１側に折り込まれた際に押込部３１の少なくとも一部が第一上フラップ部１３ｃと重ねられる位置に位置する。つまり、押込部３１は、第一上フラップ部１３ｃの近傍に位置する。このため、押込部３１は、包装箱１の背面視（図３）において、第一上フラップ部１３ｃから離間した位置であってもよく、第一上フラップ部１３ｃと隣接した位置であってもよい。押込部３１の少なくとも一部が第一上フラップ部１３ｃと重ねられるとは、押込部３１と第一上フラップ部１３ｃとが接して直接的に重ねられることのみを意味するのではなく、押込部３１と第一上フラップ部１３ｃとが第一背面部１３ａ又は第二背面部１３ｂ等の他の部位を介して間接的に重ねられることも意味する。また、押込部３１は、包装箱１の左右方向における中央部に位置して、第一背面部１３ａから第二背面部１３ｂに亘って形成されている。押込部３１の形状は、特に限定されるものではないが、本実施形態では、指で押し込み易いように、略矩形に形成されているものとして説明する。
【００３６】
押込部３１は、押込破断線３４と、第一誘導罫線３５と、第二誘導罫線３６と、を有する。
【００３７】
図１〜図３、図１０及び図１１に示すように、押込破断線３４は、押込部３１の外形の一部を成して（画成して）、押込部３１を押し込んだ際に破断する破断線である。ここで、破断線とは、包装箱１を構成する紙板に断続的な切り込みを入れた線（領域）であって、当該切り込みに沿って紙板を切断させようとする線（領域）をいう。このため、切り込まれている部分のみを破断線というのではなく、切り込まれていない部分も含めて破断線という。破断線における切込みの形状としては、特に限定されるものではなく、例えば、直線状、曲線状、鍵状等とすることができる。破断線は、カットライン、切目線、ミシン線等とも呼ばれる。
【００３８】
押込破断線３４の両端は、一対の第一破断線３２，３３に接続されている。また、押込破断線３４の両端は、上下方向における押込部３１の第一上フラップ部１３ｃ側の上端、つまり、第一上フラップ部１３ｃの近傍に位置している。そして、押込破断線３４は、押込部３１の外形を成すように、第一下フラップ部１３ｄ側に凸となっている。より詳細には、押込破断線３４は、その両端から第一下フラップ部１３ｄに向けて延びた後、包装箱１の左右方向における中央に向けて延びている。
【００３９】
第一誘導罫線３５は、押込部３１の外形の一部を成して（画成して）、押込部３１を押し込んだ際に折り曲げられる罫線である。より詳細には、第一誘導罫線３５は、押込部３１を押し込んだ際に押込部３１の折り曲げの起点となる罫線である。ここで、罫線とは、包装箱１を構成する紙板を凹ます等して包装箱１を折り曲げやすくした線（領域）である。第一誘導罫線３５は、第一上フラップ部１３ｃの第一下フラップ部１３ｄ側の端辺に沿って延びている。第一誘導罫線３５は、押込破断線３４の両端と同様に、上下方向における押込部３１の第一上フラップ部１３ｃ側の上端、つまり、第一上フラップ部１３ｃの近傍に位置している。このため、第一誘導罫線３５は、押込破断線３４の両端を結ぶ直線上に形成されている。第二誘導罫線３６は、１本の連続した罫線により形成されていてもよく、複数に分割された罫線により形成されていてもよい。また、第一誘導罫線３５は、押込破断線３４に接続されていてもよく、押込破断線３４に接続されていなくてもよい。本実施形態では、第二誘導罫線３６は、２本に分割された罫線により形成されているとともに、押込破断線３４から離間されている。
【００４０】
第二誘導罫線３６は、押込部３１を押し込んだ際に折り曲げられる罫線である。より詳細には、第二誘導罫線３６は、押込部３１を押し込んだ際に押込部３１を途中で折り曲げるための罫線である。第二誘導罫線３６は、第一誘導罫線３５の第一下フラップ部１３ｄ側に位置して、第一誘導罫線３５と平行に延びている。第二誘導罫線３６は、１本の連続した罫線により形成されていてもよく、複数に分割された罫線により形成されていてもよい。また、第二誘導罫線３６は、押込破断線３４に接続されていてもよく、押込破断線３４に接続されていなくてもよい。本実施形態では、第二誘導罫線３６は、２本に分割された罫線により形成されているとともに、押込破断線３４から離間されている。
【００４１】
包装箱１の上下方向における押込部３１の位置及び長さは、特に限定されるものではないが、ボトル型飲料容器１００により包装箱１の内側への折り込みが阻害されない位置及び長さであることが好ましい。この場合、押込部３１は、ボトル型飲料容器１００により包装箱１の内側への折り込みが阻害されない位置であれば、如何なる位置に位置してもよい。例えば、押込部３１は、押込部３１を押し込んだ際に、押込部３１がボトル型飲料容器１００のフランジ部１０３に当接しない位置とすることができる。
【００４２】
図１及び図３に示すように、第一破断線３２は、押込部３１に接続されて押込部３１から第一側面部１５側の端辺まで延びる破断線であり、第一破断線３３は、押込部３１に接続されて押込部３１から第二側面部１６側の端辺まで延びる破断線である。一対の第一破断線３２，３３は、第一上フラップ部１３ｃと第一下フラップ部との間、つまり、第一背面部１３ａ又は第二背面部１３ｂの１重構造となっている領域に位置する。第一破断線３２は、直線状に形成されており、押込部３１から第一側面部１５に向かうに従い第一上フラップ部から離れる方向に傾斜している。第一破断線３３は、直線状に形成されており、押込部３１から第二側面部１６に向かうに従い第一上フラップ部から離れる方向に側に傾斜している。なお、第一上フラップ部から離れる方向は、底面部１２に向かう方向である。第一破断線３２と第一破断線３３とは、左右対称に形成されている。
【００４３】
第一上フラップ部１３ｃは、押込部３１よりも第一側面部１５及び第二側面部１６側の位置から天面部１１側に傾斜しながら第一側面部１５及び第二側面部１６に向けて延びる一対の第三誘導罫線３７，３７を有する。より詳細には、第一側面部１５側に位置する第三誘導罫線３７は、押込部３１の近傍の押込部３１よりも第一側面部１５側の位置から、第一側面部１５に向けて延びている。第二側面部１６側に位置する第三誘導罫線３７は、押込部３１の近傍の押込部３１よりも第二側面部１６側の位置から、第二側面部１６に向けて延びている。第三誘導罫線３７，３７は、１本の連続した罫線により形成されていてもよく、複数に分割された罫線により形成されていてもよい。また、第三誘導罫線３７，３７は、第一上フラップ部１３ｃの端縁まで延びていてもよく、第一上フラップ部１３ｃの端縁まで延びていなくてもよい。
【００４４】
図８に示すように、第一背面部１３ａ及び第二背面部１３ｂは、押込部３１よりも第一側面部１５及び第二側面部１６側の位置から天面部１１側に傾斜しながら第一側面部１５及び第二側面部１６に向けて延びる一対の第四誘導罫線３８，３８を有する。より詳細には、第一側面部１５側に位置する第四誘導罫線３８は、第一背面部１３ａに形成されており、押込部３１の近傍の押込部３１よりも第一側面部１５側の位置から、第一側面部１５に向けて延びている。第二側面部１６側に位置する第四誘導罫線３８は、第二背面部１３ｂに形成されており、押込部３１の近傍の押込部３１よりも第二側面部１６側の位置から、第二側面部１６に向けて延びている。第四誘導罫線３８，３８は、１本の連続した罫線により形成されていてもよく、複数に分割された罫線により形成されていてもよい。また、第四誘導罫線３８，３８は、第一背面部１３ａ又は第二背面部１３ｂの端縁まで延びていてもよく、第一背面部１３ａ又は第二背面部１３ｂの端縁まで延びていなくてもよい。また、第四誘導罫線３８，３８は、第三誘導罫線３７，３７に対応する位置（対向する位置）に位置してもよく、第三誘導罫線３７，３７に対応しない位置（対向しない位置）に位置してもよい。
【００４５】
［第一側面部及び第二側面部］
図１〜図５及び図７に示すように、第一側面部１５は、第一破断線３２に接続されて背面部１３側の端辺から前面部１４側の端辺まで延びる第二破断線４１を有する。第二側面部１６は、第一破断線３３に接続されて背面部１３側の端辺から前面部１４側の端辺まで延びる第二破断線４２を有する。第二破断線４１と第二破断線４２とは、同じ形状に形成されている。一対の第二破断線４１，４２は、背面部１３側から前面部１４側に向けて底面部１２側に傾斜しながら直線状に延びている。
【００４６】
図４に示すように、第一側面部１５の第二破断線４１は、背面部１３から前面部１４に向けて延びる背面部側第二破断線部４１ａと、背面部側第二破断線部４１ａから前面部１４に向けて延びる前面部側第二破断線部４１ｂと、を有する。そして、背面部側第二破断線部４１ａの単位距離当たりの破断強度は、前面部側第二破断線部４１ｂの単位距離当たりの破断強度よりも小さい。同様に、図５に示すように、第二側面部１６の第二破断線４２は、背面部１３から前面部１４に向けて延びる背面部側第二破断線部４２ａと、背面部側第二破断線部４２ａから前面部１４に向けて延びる前面部側第二破断線部４２ｂと、を有する。そして、背面部側第二破断線部４２ａの単位距離当たりの破断強度は、前面部側第二破断線部４２ｂの単位距離当たりの破断強度よりも小さい。単位距離当たりの破断強度は、例えば、破断線の接続部の長さ、単位距離当たりの接続部の数等により設定することができる。破断線の接続部とは、破断線における隣り合う切り込み間の、切り込まれていない部分をいう。例えば、破断線の接続部の長さが短くなるほど、単位距離当たりの破断強度が小さくなり、単位距離当たりの破断線の接続部の数が少なくなるほど、単位距離当たりの破断強度が小さくなる。
【００４７】
背面部側第二破断線部４１ａ，４２ａと前面部側第二破断線部４１ｂ，４２ｂとの長さの比は、特に限定されるものではなく、包装箱１の耐荷重性等を考慮して適宜設定することができる。また、前面部側第二破断線部４１ｂ，４２ｂは、前面部１４まで延びていてもよく、前面部１４まで延びていなくてもよい。前面部側第二破断線部４１ｂ，４２ｂが前面部１４まで延びていない場合、前面部側第二破断線部４１ｂ，４２ｂの前面部１４側に、前面部側第二破断線部４１ｂとは単位距離当たりの破断強度が異なる他の破断線部を隣接させてもよい。
【００４８】
図１、図２、図４、図５及び図７に示すように、第一側面部１５及び第二側面部１６は、一対の第二破断線４１，４２の天面部１１側に、天面部１１及び背面部１３に向けて延びる一対の第五誘導罫線４３，４４を有する。より詳細には、第一側面部１５の第五誘導罫線４３は、第二破断線４１の天面部１１側において、第二破断線４１の近傍から天面部１１及び背面部１３側に向けて延びており、第二側面部１６の第五誘導罫線４４は、第二破断線４２の天面部１１側において、第二破断線４２の近傍から天面部１１及び背面部１３側に向けて延びている。第五誘導罫線４３，４４は、１本の連続した罫線により形成されていてもよく、複数に分割された罫線により形成されていてもよい。また、第五誘導罫線４３，４４は、第二破断線４１，４２まで延びていてもよく、第二破断線４１，４２まで延びていなくてもよい。そして、第五誘導罫線４３の延長線は、第二破断線４１の背面部側第二破断線部４１ａと交差している。また、第五誘導罫線４４の延長線は、第二破断線４２の背面部側第二破断線部４２ａと交差している。
【００４９】
［前面部］
図１、図２及び図６に示すように、前面部１４は、一対の第二破断線４１，４２に接続されて第一側面部１５側の端辺から第二側面部１６側の端辺まで延びる第三破断線４５を有する。第三破断線４５は、第二上フラップ部１４ｃと第二下フラップ部１４ｄとの間、つまり、第一前面部１４ａ又は第二前面部１４ｂの１重構造となっている領域に位置する。第三破断線４５は、底面部１２側に凸となる曲線状に形成されている。第三破断線の曲線形状は、特に限定されるものではないが、左右対称の曲線状、左右対称の円弧状とすることができる。
【００５０】
［開封方法］
次に、包装箱１の開封方法について説明する。
【００５１】
まず、図１０及び図１１に示すように、指を押込部３１に押し込む。すると、押込部３１では、押込破断線３４が破断して、第一誘導罫線３５が折り曲げられる。これにより、押込部３１は、第一誘導罫線３５を起点として天面部１１側に折り込まれる。このとき、押込部３１がボトル型飲料容器１００と干渉する場合は、第二誘導罫線３６が折り曲げられることで、押込部３１が天面部１１側に折り込まれる。押込部３１が折り込まれた部分では、押込部３１と、第一背面部１３ａ又は第二背面部１３ｂと、第一上フラップ部１３ｃの３重構造となっている。そして、押込部を押し込んだ指を、この３重構造となっている部分に引っ掛けて引き上げる。すると、第一破断線３２，３３、第二破断線４１，４２、第三破断線４５が順次破断して行く。このとき、第三誘導罫線３７，３７及び第四誘導罫線３８，３８が折り曲げられることで、第一破断線３２，３３の破断が促進され、第五誘導罫線４３，４４が折り曲げられることで、第二破断線４１，４２の破断が促進される。そして、図１２に示すように、第三破断線４５が完全に破断されると、包装箱１が底面部１２側の部分である底箱部５１と天面部１１側の部分である天箱部５２とに完全に分離され、天箱部５２を除去することで、底箱部５１に包装されたボトル型飲料容器１００の上部が露出した状態となる。
【００５２】
このように、本実施形態に係る包装箱１では、天面部１１側に折り込まれる押込部３１は、背面部１３の第一上フラップ部１３ｃと第一下フラップ部１３ｄとの間、つまり、第一上フラップ部１３ｃ及び第一下フラップ部１３ｄと重ならない領域に位置するため、第一上フラップ部１３ｃ及び第一下フラップ部１３ｄと重なる領域に位置する場合に比べて、押込部３１を容易に押し込むことができる。また、背面部１３の押込部３１及び一対の第一破断線３２，３３、第一側面部１５及び第二側面部１６の一対の第二破断線４１，４２、及び前面部の第三破断線４５は、互いに接続されているため、押込部３１を押し込んだ指を引き上げることで、これらの破断線が順次破断していく。これにより、包装箱１が底面部１２側の部分である底箱部５１と天面部１１側の部分である天箱部５２とに分離されるため、包装箱１を容易に開封することができる。そして、押込部３１は、天面部１１側に折り込まれた際に押込部３１の少なくとも一部が第一上フラップ部１３ｃと重ねられる。これにより、押込部３１を折り込んだ部分の厚さを厚くすることができるため、押込部３１を押し込んだ指を引き上げて包装箱１を底箱部５１と天箱部５２とに分離する際の、指への負担を軽減することができる。また、指を引っ掛けた部分が破れてしまう等の意図しない破断を抑制して容易に開封することができる。
【００５３】
また、背面部１３が第一背面部１３ａ及び第二背面部１３ｂを有するとともに、押込部３１が第一背面部１３ａ及び第二背面部１３ｂにより形成されるため、ラップアラウンド型の包装箱１において、容易に押込部３１を形成することができる。
【００５４】
また、押込部３１が押込破断線３４を有するため、押込破断線３４を破断することにより押込部３１を容易に押し込むことができる。そして、押込破断線３４が一対の第一破断線３２，３３に接続されているため、指で押込部３１を押し込んだ後、そのまま指を引き上げることで、一対の第一破断線３２，３３を破断させることができる。
【００５５】
また、押込部３１が、第一上フラップ部１３ｃの第一下フラップ部１３ｄ側の端辺に沿って延びる第一誘導罫線３５を有するため、押込部３１を押し込むと、押込部３１は第一誘導罫線３５を起点として折り曲げられる。これにより、押込部３１を容易に天面部１１側に折り込むことができる。
【００５６】
また、押込部３１が、第一誘導罫線３５の第一下フラップ部１３ｄ側に位置して第一誘導罫線３５と平行に延びる第二誘導罫線３６を有するため、押込部３１は、押し込まれた際に包装箱１に包装されている被包装物と干渉すると、第二誘導罫線３６で折り曲げられる。これにより、押込部３１が被包装物に引っ掛かって天面部１１側に折り込めなくなるのを抑制することができる。
【００５７】
また、一対の第一破断線３２，３３が、押込部３１から第一側面部１５及び第二側面部１６に向かうに従い第一上フラップ部１３ｃから離れる方向に傾斜しているため、一対の第一破断線３２，３３が折れ曲がり難くなる。これにより、包装箱１の耐荷重性が低下するのを抑制することができる。
【００５８】
また、第一上フラップ部１３ｃが、押込部３１よりも第一側面部１５側及び第二側面部１６側の位置から天面部１１側に傾斜しながら第一側面部１５及び第二側面部１６に向けて延びる一対の第三誘導罫線３７，３７を有するため、押込部３１を押し込んだ指を引き上げると、第一上フラップ部１３ｃは一対の第三誘導罫線３７，３７で折り曲げられる。これにより、一対の第一破断線３２，３３により分離される底箱部５１と天箱部５２との開き幅が大きくなって、一対の第一破断線３２，３３が破断しやすくなるため、包装箱１の開封性を向上することができる。
【００５９】
また、第一背面部１３ａ及び第二背面部１３ｂが、押込部３１よりも第一側面部１５側及び第二側面部１６側の位置から天面部１１側に傾斜しながら第一側面部１５及び第二側面部１６に向けて延びる一対の第四誘導罫線３８を有するため、押込部３１を押し込んだ指を引き上げると、第一背面部１３ａ及び第二背面部１３ｂは一対の第四誘導罫線３８で折り曲げられる。これにより、一対の第一破断線３２，３３により分離される底箱部５１と天箱部５２との開き幅が大きくなって、一対の第一破断線３２，３３が破断しやすくなるため、包装箱１の開封性を向上することができる。
【００６０】
また、押込部３１を押し込んだ指を引き上げると、第二破断線４１，４２では、先ず背面部側第二破断線部４１ａ，４２ａが破断され、その後に前面部側第二破断線部４１ｂ，４２ｂが破断される。そして、背面部側第二破断線部４１ａ，４２ａの単位距離当たりの破断強度が前面部側第二破断線部４１ｂ，４２ｂの単位距離当たりの破断強度よりも小さいため、前面部側第二破断線部４１ｂ，４２ｂにより包装箱１の耐荷重性を保持しつつ、背面部側第二破断線部４１ａ，４２ａにより第二破断線４１，４２を破断しやすくすることができる。
【００６１】
また、一対の第二破断線４１，４２が、背面部１３側から前面部１４側に向けて底面部１２側に傾斜しながら直線状に延びているため、包装箱１の製造容易性を確保しつつ、包装箱１を開封して天箱部５２を除去した際に、底箱部５１の前面部１４側の高さを低くすることができる。これにより、商品陳列棚等に載置した際に、ボトル型飲料容器１００を見やすくすることができる。しかも、一対の第二破断線４１，４２を破断することにより形成された第一側面部１５及び第二側面部１６の端辺は、直線状に形成されるため、開封後の底箱部５１のデザイン性を向上することができる。
【００６２】
また、第一側面部１５及び第二側面部１６が、一対の第二破断線４１，４２の天面部１１側に、天面部１１及び背面部１３側に向けて延びる一対の第五誘導罫線４３，４４を有するため、押込部３１を押し込んだ指を引き上げると、第一側面部１５及び第二側面部１６は一対の第五誘導罫線４３，４４で折り曲げられる。これにより、一対の第二破断線４１，４２により分離される底箱部５１と天箱部５２との開き幅が大きくなって、一対の第二破断線４１，４２が破断しやすくなるため、包装箱１の開封性を向上することができる。
【００６３】
また、第三破断線４５が底面部１２側に凸となる曲線状に形成されているため、包装箱１の製造容易性を確保しつつ、包装箱１を開封して天箱部５２を除去した際に、底箱部５１の前面部１４の高さを低くすることができる。これにより、商品陳列棚等に載置した際に、ボトル型飲料容器１００を見やすくすることができる。しかも、第三破断線４５を破断することにより形成された前面部１４の端辺は、曲線状に形成されるため、開封後の底箱部５１のデザイン性を向上することができる。
【００６４】
また、押込部３１が、ボトル型飲料容器１００により包装箱１の内側への折り込みが阻害されない位置に位置するため、押込部３１を押し込んだ際に、押込部３１がボトル型飲料容器１００により包装箱の内側に折り込み難くなるのを抑制することができる。
【００６５】
以上、本発明の好適な実施形態について説明したが、本発明は上記実施形態に限定されるものではない。例えば、上記実施形態では、包装箱は、ラップラウンド型の包装箱であるものとして説明したが、ラップラウンド型以外の包装箱であってもよい。また、包装箱１に包装される飲料容器は、上記実施形態のボトル型飲料容器とは異なる飲料容器であってもよい。
【実施例】
【００６６】
以下に本発明の実施例について説明する。但し、本発明は以下の実施例に限定されるものではない。
【００６７】
（実施例１）
本発明の実施例１として、上記の実施形態に係る包装箱を作製した。
【００６８】
（比較例１）
本発明の比較例１として、実施例１の包装箱と同じ大きさのラップラウンド型の包装箱を作製した。比較例１の包装箱には、開封手段として、前面部、第一側面部、背面部及び第二側面部の全周に延びる上下一対の第一及び第二カットラインと、上下一対の第一及び第二カットラインに接続される第三カットラインと、を形成した。
【００６９】
比較例１の包装箱は、以下の手順で開封することができる。まず、第三カットラインに指を入れて第一及び第二カットラインの一部を破断し、帯状の破断片を形成する。次に、帯状の破断片を摘まんで引っ張ることで、第一及び第二カットラインを包装箱の全周において破断させる。これにより、底面部側の部分と天面側の部分とが分離されるため、底面部側の部分から、破断片と天面側の部分とを除去することで、包装箱が開封される。
【００７０】
（使いやすさの比較）
１０名の被験者（男性５名、女性５名）に、実施例１の包装箱と比較例１の包装箱とを開封してもらい、その開封時間を比較計測した。１０名の被験者の開封時間の平均は、比較例１の包装箱が２２．８秒であるのに対し、実施例１の包装箱が１５．４秒と大幅に短縮された。実際、店頭で何箱も開封することを考慮すると、短時間にワンタッチで開封できる実施例１の包装箱は、極めて使いやすさに優れた包装箱であると考えられる。
【符号の説明】
【００７１】
１…包装箱、１１…天面部、１２…底面部、１３…背面部、１３ａ…第一背面部、１３ｂ…第二背面部、１３ｃ…第一上フラップ部、１３ｄ…第一下フラップ部、１４…前面部、１４ａ…第一前面部、１４ｂ…第二前面部、１４ｃ…第二上フラップ部、１４ｄ…第二下フラップ部、１５…第一側面部、１６…第二側面部、２０…包装箱用ブランク、２１…天面シート部、２２…底面シート部、２３ａ…第一背面シート部、２３ｂ…第二背面シート部、２３ｃ…第一上フラップシート部、２３ｄ…第一下フラップシート部、２４ａ…第一前面シート部、２４ｂ…第二前面シート部、２４ｃ…第二上フラップシート部、２４ｄ…第二下フラップシート部、２５…第一側面シート部、２６…第二側面シート部、２７…接着代、３１…押込部、３２…第一破断線、３３…第一破断線、３４…押込破断線、３５…第一誘導罫線、３６…第二誘導罫線、３７…第三誘導罫線、３８…第四誘導罫線、４１…第二破断線、４１ａ…背面部側第二破断線部、４１ｂ…前面部側第二破断線部、４２…第二破断線、４２ａ…背面部側第二破断線部、４２ｂ…前面部側第二破断線部、４３…第五誘導罫線、４４…第五誘導罫線、４５…第三破断線、５１…底箱部、５２…天箱部、１００…ボトル型飲料容器、１０１…ボトル本体、１０２…蓋、１０３…フランジ部、１０３…フランジ部。
【図１】
2019011071.tif 000003
【図２】
2019011071.tif 000004
【図３】
2019011071.tif 000005
【図４】
2019011071.tif 000006
【図５】
2019011071.tif 000007
【図６】
2019011071.tif 000008
【図７】
2019011071.tif 000009
【図８】
2019011071.tif 000010
【図９】
2019011071.tif 000011
【図１０】
2019011071.tif 000012
【図１１】
2019011071.tif 000013
【図１２】
2019011071.tif 000014